【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
読取装置による原稿の読み取りのために参照される読取条件を管理する読取システムであって、
記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御手段と、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定手段と、
前記決定手段により決定された前記予定読取値が設定された第２の読取条件を登録する登録手段と
を備えることを特徴とする読取システム。
【請求項２】
前記第１の読取条件での前記読取装置による読み取り動作の結果と前記第１の条件に設定される予定読取値とに基づいて、前記残りの原稿が存在するか否かを判定する判定手段をさらに備え、
前記登録手段は、前記判定手段により前記残りの原稿が存在すると判定された場合に、前記第２の読取条件を登録することを特徴とする請求項１に記載の読取システム。
【請求項３】
前記判定手段により前記残りの原稿が存在すると判定された場合に、前記残りの原稿が存在することを通知する第１の通知手段をさらに備え、
前記登録手段は、前記第１の通知手段による通知に従って、前記第２の読取条件の登録指示に対応する操作を受け付けた場合に、前記第２の読取条件を登録することを特徴とする請求項２に記載の読取システム。
【請求項４】
前記第１の読取条件での読み取り動作により得られる第１の原稿データと、当該第１の読取条件に基づいて生成された前記第２の読取条件での読み取り動作により得られる第２の原稿データとを関連付けて前記記憶手段に格納するデータ管理手段をさらに備えることを特徴とする請求項１乃至３のいずれか一項に記載の読取システム。
【請求項５】
前記第１の読取条件に設定されている予定読取値より、前記結果により得られる原稿群の値が大きい場合に、読取装置でユーザに通知する第２の通知手段をさらに備えることを特徴とする請求項１乃至４のいずれか一項に記載の読取システム。
【請求項６】
前記第２の通知手段による通知に従って、登録指示を受け付けた場合に、前記第２の読取条件を登録することなく、前記第１の読取条件での読み取りによる処理を完了することを特徴とする請求項５に記載の読取システム。
【請求項７】
前記第１の読取条件に設定されている予定読取値は、前記対象原稿群の予定読取枚数であって、
前記決定手段で決定される予定読取値は、前記対象原稿群の予定読取枚数と、前記第１の読取条件での前記読取装置による読み取り動作の結果より得られる読取済枚数とに従って決定される、前記対象原稿群で読み取りが行われていない残りの原稿の予定読取枚数であることを特徴とする請求項１乃至６のいずれか一項に記載の読取システム。
【請求項８】
読取装置による原稿の読み取りのために参照される読取条件を管理する読取管理装置であって、
記憶手段に記憶されている、前記読取装置による読み取り動作の対象となる複数の原稿を含む対象原稿群を読み取るための予定読取値が設定された第１の読取条件を前記読取装置に送信する送信手段と、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定手段と、
前記決定手段により決定された前記予定読取値が設定された第２の読取条件を登録する登録手段と
を備えることを特徴とする読取管理装置。
【請求項９】
読取装置による原稿の読み取りのために参照される読取条件で読取処理を実行する画像形成装置であって、
記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御手段と、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定手段と、
前記決定手段により決定された前記予定読取値が設定された第２の読取条件を登録する登録手段と
を備えることを特徴とする画像形成装置。
【請求項１０】
読取装置による原稿の読み取りのために参照される読取条件を管理する読取システムが実行する読取方法であって、
記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御ステップと、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定ステップと、
前記決定ステップにおいて決定された前記予定読取値が設定された第２の読取条件を登録する登録ステップと
を含むことを特徴とする読取方法。
【請求項１１】
読取装置による原稿の読み取りのために参照される読取条件を管理する読取管理装置が実行する読取管理方法であって、
記憶手段に記憶されている、前記読取装置による読み取り動作の対象となる複数の原稿を含む対象原稿群を読み取るための予定読取値が設定された第１の読取条件を前記読取装置に送信する送信ステップと、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定ステップと、
前記決定ステップにおいて決定された前記予定読取値が設定された第２の読取条件を登録する登録ステップと
を備えることを特徴とする読取管理方法。
【請求項１２】
読取装置による原稿の読み取りのために参照される読取条件で読取処理を実行する画像形成装置が実行する画像形成方法であって、
記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御ステップと、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定ステップと、
前記決定ステップにおいて決定された前記予定読取値が設定された第２の読取条件を登録する登録ステップと
を含むことを特徴とする画像形成方法。
【請求項１３】
読取装置による原稿の読み取りのために参照される読取条件を管理するコンピュータに、
記憶手段に記憶されている、前記読取装置による読み取り動作の対象となる複数の原稿を含む対象原稿群を読み取るための予定読取値が設定された第１の読取条件を前記読取装置に送信する送信ステップと、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定ステップと、
前記決定ステップにおいて決定された前記予定読取値が設定された第２の読取条件を登録する登録ステップと
を実行させるためのプログラム。
【請求項１４】
読取装置による原稿の読み取りのために参照される読取条件で読取処理を実行するコンピュータに、
記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御ステップと、
前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定ステップと、
前記決定ステップにおいて決定された前記予定読取値が設定された第２の読取条件を登録する登録ステップと
を実行させるためのプログラム。
【手続補正２】
【補正対象書類名】明細書
【補正対象項目名】０００５
【補正方法】変更
【補正の内容】
【０００５】
本発明はこのような問題点に鑑みなされたもので、一連の原稿群に対するスキャン処理の効率化を図ることのできる仕組みを提供することを目的とする。
【手続補正３】
【補正対象書類名】明細書
【補正対象項目名】０００６
【補正方法】変更
【補正の内容】
【０００６】
そこで、本発明は、読取装置による原稿の読み取りのために参照される読取条件を管理する読取システムであって、記憶手段に記憶されている、前記読取装置による読み取り動作の対象となる複数の原稿を含む対象原稿群を読み取るための予定読取値が設定された第１の読取条件で、前記読取装置による読み取り動作を実行させる読取制御手段と、前記第１の読取条件での前記読取装置による読み取り動作の結果と前記第１の読取条件に設定される予定読取値とに基づいて、前記対象原稿群の複数の原稿のうち読み取りが行われていない残りの原稿を読み取るための予定読取値を決定する決定手段と、前記決定手段により決定された前記予定読取値が設定された第２の読取条件を登録する登録手段とを備えることを特徴とする。
【手続補正４】
【補正対象書類名】明細書
【補正対象項目名】０００７
【補正方法】変更
【補正の内容】
【０００７】
本発明によれば、一連の原稿群に対するスキャン処理の効率化を図ることができる。